(57)【要約】【課題】建物の外装となる大型の石材板等をその上下端の係止溝を利用して支持する場合に、地震その他の揺動等でその係止溝に力が加わった場合に、その係止溝に応力が集中して損傷を生じるのを防止する。【解決手段】石材プレート１の上下端の係止溝１ａ、１ｂに係合する舌片２ａ、舌片２ａから直角方向に延長する腕片２ｂ、その後端から石材プレート１の背後側に延びる平行片２ｃ、その先端の斜辺部２ｄ、斜片部２ｄから延びる接合片２ｅを構成し、かつ腕片２ｂに遊嵌合用スリット部２ｆを形成した係止片２と、係止片２の遊嵌合用スリット部２ｆに遊嵌合する上向き及び下向きの遊嵌合舌片３ａ、３ｂ、その端部から延長するアーム片３ｃ及びその後端に接続した取付板３ｄを備えた取付片３と、相互に接続した石材プレート１、係止片２、取付片３、ベース金具４の間に充填する弾性接着剤５とで構成する。【選択図】  図１
2011038327.tif 000002
【特許請求の範囲】
【請求項１】
プレート部材の上端又は下端の係止溝に係合する舌片を備えた係止片であって、該舌片の一端から直角方向に延長する腕片、該腕片の後端から該プレート部材の背後側に向かって該プレート部材の背面と平行に延長し、延長途中から該プレート部材の背面に近接すべく屈曲し、その先端部に該プレート部材の背面への当接状態で該背面と平行に延長する接合片を延長構成し、かつ前記腕片に、取付片の舌片を遊嵌合する遊嵌合用スリット部を形成した係止片と、
該係止片の腕片の遊嵌合用スリット部に、遊嵌合する上向き及び下向きの遊嵌合舌片、該両遊嵌合舌片の端部から直角方向に屈曲して延長するアーム片、及び該延アーム片の後端から直角方向に屈曲した取付板を備えた取付片と、
前記プレート部材の上端の係止溝に舌片を係止した係止片と該プレート部材との間、該係止片と該係止片の遊嵌合用スリット部に遊嵌合舌片を遊嵌合させた取付片及び該取付片の取付板を固設した下地との間、並びに該プレート部材の下端の係止溝に舌片を係止した他の係止片と該プレート部材との間、該係止片と該係止片の遊嵌合用スリット部に遊嵌合舌片を遊嵌合させた取付片及び該取付片の取付板を固設した下地との間のそれぞれに充填する弾性接着剤と、
で構成したプレート部材の取付具。
【請求項２】
前記取付片を、四辺形の板状のアーム片と、該アーム片の先端の半分には下向きに、残りの半分には上向きに、それぞれ形成した遊嵌合舌片と、該アーム片の後端に直角方向に屈曲して形成した取付板と、で構成した請求項１のプレート部材の取付具。
【発明の詳細な説明】
【技術分野】
【０００１】
本発明は、建物の躯体の外側に配する大型の石材版、タイル、その他の大型プレート部材を、その上下端に形成したスリットを利用して支持する場合に、躯体に加わる地震その他の揺動等で該スリットに無用の力が加わって該大型プレート部材に損傷が生じるのを防止し得るプレート部材の取付具に関する。
【背景技術】
【０００２】
大型の石材等を建築物の外装に取り付ける取付手段又はそれを用いた取付構造に関しては多くの提案がある。
【０００３】
その一は、一枚の固定プレート部材と、一個以上の石板装着部材とからなり、前記固定プレート部材が、アンカーボルト挿入孔を有するプレート部と、このプレート部に固定され、且つその裏面からそれにほぼ直角に延び出ているボルト部を有し、更にその石板装着部材が、ボルト挿入孔を有する基板部と、この基板部から延び出てほぼＬ字形又はＪ字形をなして折れ曲がっている鉤部とを有し、前記固定プレート部材のボルト部を、前記石板装着部材のボルト挿入孔に通し、前記石板装着部材を、前記固定プレート部座に装着固定することが可能な石板取付固定具（特許文献１）である。
【０００４】
従ってこの特許文献１の石板取付固定具によれば、固定プレート部材を、そのプレート部を建築物の壁面に当接し、かつアンカーボルトを挿入孔に挿入してナットで固定することにより、取り付け、そのボルト部に石板装着部材の基板部のボルト挿入孔を挿入し、該ボルト部に、二つのナットで該基板部を挟持状態にして不陸を調節しつつ固定し、該基板部の先端の鉤部を石板の上端又は可端の嵌合溝に挿入して、該石板を建築物の壁面に所定の間隔で平行に取り付けるものである。
【０００５】
それ故、該石板は、建築物の外壁に取り付ける際に、二つのナットを調節することで、その不陸を適切に調節することが可能である。しかし、地震等の際に、この石板取付固定具が、建築物の躯体と共に動くと、その鉤部の動きが、支持対象である石板に無理な力を加え、その結合部位である嵌合溝に無用に大きな力を加え、ここから損傷を生じさせる虞がある。建築物の低い位置では、人や物が外装の石板に強く接触することもあり、そのような場合に、該石板は、自由に動くことは許容されていないので、応力が、該石板の嵌合溝の部分に集中し、この部分から損傷を生じさせる虞がある。
【０００６】
またその二は、断面Ｔ字型長尺金物（Ｔ桁状金物）の基部が外装板材の取り付け下地壁面に垂直に固設され、また前記断面Ｔ字型長尺金物の左右の天板部（平行板部）に、上下又は左右端面に全長溝を有する外装板材の全長溝が嵌合・固定され、かつ前記外装板材の裏面と取り付け下地壁面との間には弾力性の緩衝材板が挟装・接合されてなる外装板材の壁面取り付け構造（特許文献２）である。
【０００７】
この特許文献２の外装板材の壁面取付構造では、この文献２によれば、地震等における下地壁面と外装板材との層間変位は、その間の弾力性の緩衝材板によって十分に吸収できると記述されているが、天板部の一方側及び他方側はそれぞれ対応する外装板材の端部の長溝に嵌合状態となっており、そのような層間変位の際に、該長溝に応力が集中してその部位に損傷が生じる虞があり、この点の問題は全く解消されているようには見えない。
【０００８】
更にその三は、プレート係止片を、取付け板と、上記取付け板から水平方向に突き出したアーム部と、アーム部の先端に配した係止上板及び係止下板とで構成し、正面から見て四辺形であるプレート部材の上端と下端とにそれぞれ係止溝を構成し、前記プレート係止片を、下地に、係止上板と係止下板の中間付近が前記下地に於けるプレート部材の取付け予定位置の上下の目地相当位置に位置し、かつ上記係止上板及び係止下板がそれぞれ取付け予定のプレート部材の上端又は下端の係止溝の位置に対応するように、前記取付け板を前記下地に固定することで、取付け、前記プレート部材を、その下端の係止溝には、下方の目地相当位置に位置する前記プレート係止片の係止上板を装入させ、かつ上端の係止溝には、上方の目地相当位置に位置する前記プレート係止片の係止下板を装入させ、更に上記プレート部材の背面と前記下地の表面とは、その間の数箇所にスポット的に配した接着剤で結合し、更に前記目地相当位置に目地材を充填したプレート部材の取付け構造である。
【０００９】
この特許文献３のプレート部材の取付け構造によれば、下地との間にそれ程広い間隔を取らずに、プレート部材を設置可能であり、それ故、該プレート部材は、風圧その他の外部からの圧力に対してかなり強度を確保できるものではあるが、地震の際などで建物躯体が揺動乃至振動した場合に、係止上板又は係止下板と係合する係止溝に応力が集中する虞があり、これによって該プレート部材が該係止溝の部位から損傷を生じる虞がないとは云えない。
【先行技術文献】
【特許文献】
【００１０】
【特許文献１】特開平０７−０４０００号公報
【特許文献２】特開２００２−０５４２９３号公報
【特許文献３】特開平０５−１９５６１０号公報
【発明の概要】
【発明が解決しようとする課題】
【００１１】
本発明は、建物の躯体の外側に外装材として配する大型の石材板、タイル、その他の大型プレート部材を、その上下端に形成した係止溝を利用して支持する場合に、躯体に加わる地震その他の揺動等で該係止溝に無用の力が加わった場合、或いは、風圧、外部を移動する人等が外部から該大型プレート部材に強く接触した場合などに、それによって、特に該係止溝に応力が集中して損傷を生じるのを防止し得るプレート部材の取付具を提供することを解決の課題とする。
【課題を解決するための手段】
【００１２】
本発明の１は、プレート部材の上端又は下端の係止溝に係合する舌片を備えた係止片であって、該舌片の一端から直角方向に延長する腕片、該腕片の後端から該プレート部材の背後側に向かって該プレート部材の背面と平行に延長し、延長途中から該プレート部材の背面に近接すべく屈曲し、その先端部に該プレート部材の背面への当接状態で該背面と平行に延長する接合片を延長構成し、かつ前記腕片に、取付片の舌片を遊嵌合する遊嵌合用スリット部を形成した係止片と、
該係止片の腕片の遊嵌合用スリット部に、遊嵌合する上向き及び下向きの遊嵌合舌片、該両遊嵌合舌片の端部から直角方向に屈曲して延長するアーム片、及び該延アーム片の後端から直角方向に屈曲した取付板を備えた取付片と、
前記プレート部材の上端の係止溝に舌片を係止した係止片と該プレート部材との間、該係止片と該係止片の遊嵌合用スリット部に遊嵌合舌片を遊嵌合させた取付片及び該取付片の取付板を固設した下地との間、並びに該プレート部材の下端の係止溝に舌片を係止した他の係止片と該プレート部材との間、該係止片と該係止片の遊嵌合用スリット部に遊嵌合舌片を遊嵌合させた取付片及び該取付片の取付板を固設した下地との間のそれぞれに充填する弾性接着剤と、
で構成したプレート部材の取付具である。
【００１３】
本発明の２は、本発明の１のプレート部材の取付具に於いて、前記取付片を、四辺形の板状のアーム片と、該アーム片の先端の半分には下向きに、残りの半分には上向きに、それぞれ形成した遊嵌合舌片と、該アーム片の後端に直角方向に屈曲して形成した取付板と、で構成したものである。
【発明の効果】
【００１４】
したがって、本発明の１のプレート部材の取付具によれば、これによって建築物の外装に大型の石材等のプレート部材を取り付けた場合は、例えば、地震等により建築物の躯体が揺動しても、或いは、プレート部材が強い風圧を受けたり、建築物外部を移動する人や物から強い衝撃を受けたりしたとしても、該プレート部材は、係止片及び取付片並びに前記弾性接着剤を介して該建築物の躯体に結合し、かつ該係止片と該取付片との結合に余裕があり、更にその結合が弾力的に保持されているため、該取付具との結合部である係止溝に応力が集中するような問題が生じることはない。それ故、該プレート部材の係止溝付近に損傷を生じさせてしまうような虞はない。
【００１５】
少し詳しく述べると、プレート部材の係止溝に舌片で結合する係止片は、その腕片に開口した遊嵌合用スリット部に遊嵌合した遊嵌合舌片を介して取付片と結合し、該取付片は、建物躯体に固定した下地に、直接又は間接に固定し、該プレート部材、該係止片、該取付片及び下地は、弾性接着剤で、弾力的に結合されるものである。そのため、前記のように、地震による躯体の振動乃至揺動、風圧によるプレート部材に対する圧力、人や物の衝突等によるプレート部材に対する衝撃乃至圧力等が加わった場合であっても、前記遊嵌合舌片と腕片の遊嵌合用スリット部と遊嵌合及び弾性接着剤による弾力的接続により、それらの力が吸収され、前記係止片の舌片と直接に結合する該プレート部材の係止溝の部位に応力が集中するような問題の生じることはない。従って、このような場合に、プレート部材の係止溝付近に損傷を生じ、これが壁面から離脱落下するような虞は生じない。
【００１６】
プレート部材は、以上のように、地震、風圧、その他の外力がプレート部材に掛かった場合に、弾力的に結合を確保することで、その取付具への直接の結合部への応力の集中を回避して、その部位の損傷の虞をなくすと共に、弾性接着剤との結合が、剥離等によって解消されても、取付具を構成する金具類によって落下が防止されるようになっているものでもある。
【００１７】
本発明の２のプレート部材の取付具によれば、簡単な構成で、その一部の部材である取付片を構成し、プレート部材を余裕のある状態で支持し得るものとしている。
【図面の簡単な説明】
【００１８】
【図１】実施の形態のプレート部材の取付具で大型の石材プレートを支持している状態を示す断面説明図。
【図２】(a)は、実施の形態のプレート部材の取付具で大型の石材プレートを支持している状態を示す平面概略説明図、(b)は、一部切欠正面説明図。
【図３】実施の形態のプレート部材の取付具で大型の石材プレートを支持している状態を示す断面概略説明図。
【図４】(a)は、図２(a)のＡ部拡大図、(b)は、図２(b)のＢ部拡大図、(c)は、図２(b)のＣ部拡大図、(d)は、図２(b)のＤ部拡大図。
【図５】(a)は、図３のＥ部拡大図、(b)は図３のＦ部拡大図、(c)は、図３のＧ部拡大図。
【図６】(a)は、係止片の平面図、(b)は、係止片の正面図、(c)は、係止片の側面図。
【図７】(a)は、最上部用の取付片の正面図、(b)は、最上部用の取付片の側面図、(c)は、中間部用の取付片の平面図、(d)は、中間部用の取付片の正面図、(e)は、中間部用の取付片の側面図、(f)は、最下部用の取付片の平面図、(g)は、最下部用の取付片の正面図、(h)は、最下部用の取付片の側面図。
【図８】(a)は中間部用のベース金具の平面図、(b)は中間部用のベース金具の正面図、(c)は、中間部用のベース金具の側面図。
【図９】(a)は最上部用のベース金具の平面図、(b)は最上部用のベース金具の正面図、(c)は、最上部用のベース金具の側面図。
【図１０】(a)は最下部用のベース金具の平面図、(b)は最下部用のベース金具の正面図、(c)は、最下部用のベース金具の側面図。
【図１１】(a)は、実施の形態で採用した石材プレートの平面図、(b)は正面図、(c)は(a)のＨ部の拡大図。
【発明を実施するための形態】
【００１９】
本発明を実施するための一つの実施の形態を、図面を参照しながら詳細に説明する。
【００２０】
この実施の形態のプレート部材の取付具は、大型の石材プレート１の取付具に構成した物であり、
図１に示すように、該石材プレート１の上下端の係止溝１ａ、１ｂに係止する舌片２ａ、該舌片２ａの一端から延長する腕片２ｂ、該腕片２ｂの後端から延長する平行片２ｃ、該平行片２ｃの先端から斜め方向に延びる斜辺部２ｄ、該斜辺部２ｄの先端から更に延長する接合片２ｅ及び前記腕片２ｂに開口した遊嵌合用スリット部２ｆを備えた係止片２と、
該係止片２の腕片２ｂの遊嵌合用スリット部２ｆに、遊嵌合する上向き及び下向きの遊嵌合舌片３ａ、３ｂ、該両遊嵌合舌片３ａ、３ｂの端部から延長するアーム片３ｃ、及び該延アーム片３ｃの後端に接続した取付板３ｄを備えた取付片３と、
前記石材プレート１の上端の係止溝１ａに舌片２ａを係止した係止片２と該石材プレート１との間、該係止片２と該係止片２の遊嵌合用スリット部２ｆに遊嵌合舌片３ｂを遊嵌合させた取付片３及び該取付片３の取付板３ｄを固設したベース金具（下地）４との間、並びに該石材プレート１の下端の係止溝１ｂに舌片２ａを係止した他の係止片２と該石材プレート１との間、該係止片２と該係止片２の遊嵌合用スリット部２ｆに遊嵌合舌片３ａを遊嵌合させた取付片３及び該取付片３の取付板３ｄを固設したベース金具４との間のそれぞれに充填する弾性接着剤５と、で構成したものである。
【００２１】
前記係止片２は、前記し、かつ図１、図４(a)〜(d)、図５(a)〜(c)及び図６(a)〜(c)に示すように、舌片２ａ、腕片２ｂ、平行片２ｃ、斜辺部２ｄ、接合片２ｅ及び遊嵌合用スリット部２ｆを備えたものであり、該舌片２ａは、この実施の形態では、僅かに長方形状に延長した上で、その先端を部分円弧状に構成し、前記石材プレート１の係止溝１ａ、１ｂの溝底部形状とほぼ相似形の形状に構成したものである。
【００２２】
前記腕片２ｂは、特に図１、図５(a)〜(c)及び図６(c)に示すように、該舌片２ａの反対側端部から直角方向に延長した部分であり、該腕片２ｂには、その後端側に位置させて前記遊嵌合用スリット部２ｆを開口してある。この遊嵌合用スリット部２ｆは、前記取付片３の遊嵌合舌片３ａ、３ｂを、前後方向（該腕片２ｂの延長方向）に十分な余裕を持たせて嵌合できるものとする。該遊嵌合用スリット部２ｆの前後方向の幅は、具体的には、該遊嵌合舌片３ａ、３ｂの厚さの７〜８倍程度とする。
【００２３】
前記平行片２ｃは、特に図６(c)に示すように、前記腕片２ｂの後端から前記舌片２ａと対面する側にほぼ直角に折曲して構成する。また前記斜辺部２ｄは、該平行片２ｃの先端から斜め方向に延長し、図１に示すように、前記舌片２ａを石材プレート１の係止溝１ａ、１ｂに装入係止した状態で、該斜辺部２ｄの先端が該石材プレート１の背面に当接するようにする。この実施の形態では、該平行片２ｃから該斜辺部２ｄにわたって、特に図６(b)に示すように、前記弾性接着剤５を貫通連結させるための四辺形切欠２ｇが開口してある。
【００２４】
前記接合片２ｅは、図１及び図６(b)、(c)に示すように、前記斜辺部２ｄの先端から前記舌片２ａ及び平行片２ｃと平行に延長する。図１に示すように、前記舌片２ａを石材プレート１の係止溝１ａ、１ｂに装入係止した状態で、該接合片２ｅの前面が該石材プレート１の背面に当接状態となるようにする。また該接合片２ｅには、図６(b)に示すように、二つの長穴状切欠２ｈ、２ｈを開口し、上記のような石材プレート１との結合状態で、該係止片２の背後側の弾性接着剤５が、該長穴状切欠２ｈ、２ｈを貫通して該石材プレート１の背面に接着接合可能であるようにするものである。
【００２５】
前記取付片３は、図１、図５(b)及び図７(c)〜(e)に示すように、上向き及び下向きの遊嵌合舌片３ａ、３ｂ、アーム片３ｃ、及び取付板３ｄで構成したものであり、上向きの遊嵌合舌片３ａは、前記アーム片３ｃの前端中央付近に僅かに直角に立ち上げて構成し、下向きの遊嵌合舌片３ｂは、該アーム片３ｃの、正面から見て前端右側に直角に垂下させて構成したものである。この実施の形態では、下向きの遊嵌合舌片３ｂの垂下長さは、上向きの遊嵌合舌片３ａの約３．５倍ほどとした。該アーム片３ｃの前後方向の長さは、該遊嵌合舌片３ａ、３ｂが、前記係止片２の腕片２ｂに開口した遊嵌合用スリット部２ｆの中を、弾性接着剤５の弾力を利用して前後方向に動く場合に、それを妨げない長さとする。  
【００２６】
また前記取付板３ｄは、図１、図５(b)及び図７(c)〜(e)に示すように、アーム片３ｃの後端から直角に立ち上げた部位であり、その両側の、中間部より僅かに上方の部位に長孔状の二つの結合孔３ｅ、３ｅを開口したものである。この取付板３ｄは、この実施の形態では、図５(b)に示すように、前記ベース金具４の前面やや上方に当接し、これに開口してある多数の取付孔４ａ、４ａ…の内から該当する位置のそれらを選んで該二つの結合孔３ｅ、３ｅを一致させ、タッピングボルトであるボルトｂ、ｂを該結合孔３ｅ、３ｅから該取付孔４ａ、４ａ中に装入し、後者にタップを形成しながらねじ込んで固定するものである。なお、この実施の形態では、以上のようなタッピングボルトであるボルトｂ、ｂを用いたが、一般のボルト・ナットを用いることも、場合により、リベットを用いることも可能である。
【００２７】
この実施の形態では、壁面の最上部の石材プレート１の上部及び壁面の最下部の石材プレート１の下部には、以上に説明した取付片３に代えて上部用取付片１３又は下部用取付片２３を使用することとした。前記取付片３でも、そのまま又は使用態様を代えて使用することにより、それぞれへの使用も可能であるが、より適切な構成のそれを用いることとしたものである。
【００２８】
該上部用取付片１３は、図５(a)及び図７(a)、(b)に示すように、下向きの遊嵌合舌片１３ｂ、アーム片１３ｃ、及び取付板１３ｄで構成したものである。該下向きの遊嵌合舌片１３ｂは、該アーム片１３ｃの前端から直角に折曲して垂下させたものであり、その垂下長さは、前記取付片３の下向きの遊嵌合舌片３ｂのそれと同一とした。該アーム片１３ｃの前後方向の長さも、前記取付片３のアーム片３ｃの前後方向のそれと同一寸法とした。また前記取付板１３ｄは、同図に示すように、取付片３の取付板３ｄと異なり、前記アーム片１３ｃの後端から直角に折曲して垂下させたものである。
【００２９】
この取付板１３ｄは、図５(a)に示すように、この実施の形態では、後述する最上部のベース金具１４に、その絡み片１４ｃと該ベース金具１４の前面との間に、上方から挿入することで、固定されるようにする。上部用取付片１３は、このように、この実施の形態では、ボルトｂを用いることなく、ベース金具１４に固定するものである。
【００３０】
また前記下部用取付片２３は、図５(c)及び図７(f)〜(h)に示すように、上向きの遊嵌合舌片２３ａ、アーム片２３ｃ、及び取付板２３ｄで構成したものであり、上向きの遊嵌合舌片２３ａは、前記アーム片２３ｃの前端中央付近に僅かに直角に立ち上げて構成したものである。この実施の形態では、該上向きの遊嵌合舌片２３ａの高さは、前記取付片３の上向きの遊嵌合舌片３ａのそれと全く同一とした。該アーム片２３ｃの前後方向の長さも、取付片３のアーム片３ｃと同一寸法とした。更に該取付板２３ｄの構成も取付片３の取付板３ｄのそれと同一であり、同一寸法形状の二つの結合孔２３ｅを同一位置に備えたものとした。
【００３１】
この取付板２３ｄは、図５(c)に示すように、この実施の形態では、後述する最下部のベース金具２４の前面下部に当接し、これに開口してある多数の取付孔２４ａ、２４ａ…の内から対応する位置のそれらを選んで該結合孔２３ｅ、２３ｅを一致させ、ボルトｂ、ｂを、該結合孔２３ｅ、２３ｅから該取付孔２４ａ、２４ａにタップを形成しながらねじ込んで固定するものである。なお、この場合も、この実施の形態では、以上のようなタッピングボルトであるボルトｂ、ｂを用いたが、先に説明した場合と同様に、一般のボルト・ナットを用いることも、場合により、リベットを用いて固定することも可能である。
【００３２】
前記ベース金具４は、以上の説明から理解されるように、壁面の最上部と最下部以外の取付片３をこれ及び胴縁等を介して建築物の壁面に取り付けるための手段である。
【００３３】
このベース金具４は、図８(a)、(b)、(c)に示すように、横長の長尺部材であり、その上下端に前方に折曲した補強片４ｂ、４ｂを構成し、上下の補強片４ｂ、４ｂの間の部位には、上から順に絡み片４ｃを備えた切欠４ｄの列、取付孔４ａの列、固定円孔４ｅ及び固定長孔４ｆの列、絡み片４ｃを備えた切欠４ｄの列が構成してある。
【００３４】
個々の絡み片４ｃを備えた切欠４ｄは、同図に示すように、ベース金具４の該当する部位に横長の長方形状の切欠穴を形成することとし、その際にその高さ方向中央に両側辺をブリッジ状に繋ぐように帯片を残し、該帯片を、特に図８(a)及び(c)に示すように、該ベース金具４の正面側に押し出したものであり、切欠穴の部分が切欠４ｄであり、正面側に押し出された帯片が絡み片４ｃである。切欠４ｄ及び絡み片４ｃは、弾性接着剤５がこれらに絡んで良好に結合するようにする趣旨のものである。なお、特に図８(b)に示すように、この絡み片４ｃを備えた切欠４ｄは、ベース金具４の上方の補強片４ｂの直下及び下方の補強片の直上の部位に、各々横方向一列にその多数が定間隔で配されているものである。
【００３５】
前記取付孔４ａは、前記のように、取付片３の取付板３ｄをボルトｂを介して取り付けるためのボルト孔であり、その径に対応する孔に構成され、特に図８(b)に示すように、ベース金具４の高さ方向中央部より若干上方で、上方の絡み片４ｃを備えた切欠４ｄ列の下方に、定間隔で横一列に配したものである。
【００３６】
前記固定円孔４ｅは、円形の孔で、ベース金具４を縦胴縁６に該固定円孔４ｅを通じてビス（タッピングビス）Ｖをねじ込むことにより、固定するための孔であり、固定長孔４ｆは、横長の長孔であるが、同趣旨の孔であり、同径のビスＶをこれを通じてねじ込むのに適した長孔に構成してあるものである。これらの固定円孔４ｅ及び固定長孔４ｆは横に並べて２個一単位とし、更にこの一単位を多数並べた列を、ベース金具４の高さ方向中央部より下方で下方の絡み片４ｃを備えた切欠４ｄ列の上方に、定間隔で横一列に配したものである。
【００３７】
壁面の最上部に用いる最上部のベース金具１４は、図９(a)、(b)、(c)に示すように、横長の長尺部材であり、その上下端に前方に折曲した補強片１４ｂ、１４ｂを備え、上下の補強片１４ｂ、１４ｂの間の部位には、上から順に絡み片１４ｃを備えた切欠１４ｄの列、固定円孔１４ｅ及び固定長孔１４ｆの列が構成してある。
【００３８】
このベース金具１４は、前記補強片１４ｂ、１４ｂの内の上部の補強片１４ｂを正面側への突出長さが短くなるように構成してある。これは、前記したように、上部用取付片１３の取付板１３ｄを絡み片１４ｃの内側に装入する際に、該補強片１４ｂがその操作の邪魔にならないようにする趣旨である。なお、該絡み片１４ｃを備えた切欠１４ｄの列は、中間部に用いるベース金具４の絡み片４ｃを備えた切欠４ｄの列と全く同様の構成であり、固定円孔１４ｅ及び固定長孔１４ｆの列も、中間部のベース金具４の固定円孔４ｅ及び固定長孔４ｆの列と全く同様である。このベース金具１４は、中間のベース金具４と比べて、取付孔４ａの列が無いこと、及び絡み片１４ｃを備えた切欠１４ｄの列が一列しかないため、その分だけ幅が狭くなっている。
【００３９】
壁面の最下部に用いる最下部のベース金具２４は、図１０(a)、(b)、(c)に示すように、横長の長尺部材であり、その上下端に前方に折曲した補強片２４ｂ、２４ｂを構成し、上下の補強片２４ｂ、２４ｂの間の部位には、上から順に絡み片２４ｃを備えた切欠２４ｄの列、固定円孔２４ｅ及び固定長孔２４ｆの列、取付孔２４ａの列が構成してある。
【００４０】
該絡み片２４ｃを備えた切欠２４ｄの列は、中間部のベース金具４の絡み片４ｃを備えた切欠４ｄの列と全く同様の構成であり、固定円孔２４ｅ及び固定長孔２４ｆの列も中間部のベース金具４の固定円孔４ｅ及び固定長孔４ｆの列と全く同様の構成である。更に取付孔２４ａの列も中間部のベース金具４の取付孔４ａの列と全く同様の構成である。
【００４１】
なお、以上の係止片２、取付片３、上部用取付片１３、下部用取付片２３、ベース金具４、最上部のベース金具１４及び最下部のベース金具２４は、この実施の形態では、いずれもステンレスチールで、それぞれ一体に構成したものである。
【００４２】
前記弾性接着剤５は、石材プレート１、係止片２と取付片３、上部用取付片１３、下部用取付片２３、ベース金具４、最上部のベース金具１４及び最下部のベース金具２４とを結合可能であり、かつ必要な弾力性を備えたものであれば、種々のそれを自由に採用可能である。例えば、弾性系有機質接着剤である変性エポキシ樹脂接着剤、変性シリコン接着剤、或いはポリウレタン接着剤などを採用することができる。
【００４３】
以下にこの実施の形態のプレート部材の取付具の用法を説明する。
この実施の形態のプレート部材の取付具は、これを使用する前に若干の準備作業をしておく必要がある。先ず準備作業から説明する。
【００４４】
その一つは、対象の石材プレート１の上下端に係止溝１ａ、１ｂを形成しておくことである。石材プレート１のサイズに応じて上下端の各々の２箇所〜３箇所に形成する。この実施の形態では、図１１(a)、(b)に示すように、該石材プレート１が大型であるため、その上端の３箇所に係止溝１ａ、１ａ、１ａを、下端の３箇所に係止溝１ｂ、１ｂ、１ｂを形成したものである。各係止溝１ａ、１ｂは、図１１(a)〜(c)に示すように、丸鋸状のカッターで部分円弧状の底面を持つ溝に形成したものである。こうして係止溝１ａ、１ｂは、極めて容易にかつスピーディに構成することもできる。なお、前記係止片２の舌片２ａは、これらの係止溝１ａ、１ｂの形状に対応させて、その先端を部分円弧状に構成してあるものである。
【００４５】
もう一つは、建築物の外装に適当な間隔で縦胴縁６、６…を設置しておくことである。
図２及び図３(b)に示すように、これらに設置する石材プレート１、１…の配列に合わせ、それらの横方向の目地の予定位置に合わせて、最上部には、最上部のベース金具１４、１４…を、中間部にはベース金具４、４…を、最下部には最下部のベース金具２４、２４…を、それぞれビスＶ、Ｖ…を利用して、該縦胴縁６、６…に固定する。ビスＶ、Ｖ…は、各ベース金具４、１４、２４の固定円孔４ｅ、１４ｅ、２４ｅ又は固定長孔４ｆ、１４ｆ、２４ｆを通じて縦胴縁６、６…側に装入し、該縦胴縁６、６…にねじ込み固定するものである。
【００４６】
この後の手順は、幾つかあり得るが、その一つが分かれば、他は想定できるはずであるので、その一つを説明する。
【００４７】
先ず壁面の最下部から石材プレート１の取り付け作業を行う。最下部のベース金具２４に下部用取付片２３を取り付ける。図３、図４(d)及び図５(c)に示すように、該下部用取付片２３は、アーム片２３ｃを下にして遊嵌合舌片２３ａが上向きになるように配し、その取付板２３ｄを該ベース金具２４の前面に当接させ、前者の結合孔２３ｅ、２３ｅから後者の取付孔２４ａ、２４ａに、ボルトｂ、ｂを装入し、該取付孔２４ａ、２４ａにタップを形成しながらねじ込み、該取付片２３を該ベース金具２４に固定する。
【００４８】
また、最下部に配置する石材プレート１の上端相当位置（中間位置、下から２番目）のベース金具４に、図３、図４(c)及び図５(b)に示すように、最下部のベース金具２４に取り付けてある前記下部用取付片２３に上下対応させて、取付片３を取り付ける。該取付片３は、その取付板３ｄをベース金具４の前面に当接させ、その結合孔３ｅ、３ｅを該ベース金具４の対応する取付孔４ａ、４ａと一致させ、ボルトｂ、ｂを、該結合孔３ｅ、３ｅから該取付孔４ａ、４ａに挿入し、該取付孔４ａ、４ａにタップを形成しつつねじ込んで相互を結合固定する。
【００４９】
他方、石材プレート１の下端の係止溝１ｂ、１ｂ、１ｂに、図５(c)に示すように、それぞれ係止片２の舌片２ａを挿入し、接合片２ｅを該石材プレート１の背面に当接させた上で、前記弾性接着剤５を施し、その状態を保持させる。このとき、該係止片２、２、２は、いずれもその腕片２ｂを下方に位置させ、舌片２ａが上向きになるようにするのは云うまでもない。また該石材プレート１の上端の係止溝１ａ、１ａ、１ａにも、図５(b)に示すように、係止片２の舌片２ａを挿入し、接合片２ｅを該石材プレート１の背面に当接させた上で、同様に、前記弾性接着剤５を施し、その状態を保持させる。いずれの場合も弾性接着剤５は、背後方向に膨らむ程度に多量に施しておく。
【００５０】
この後、該石材プレート１の上端を、以上の下から２番目のベース金具４に対応させ、図５(b)に示すように、これを若干持ち上げて、前者の係止片２の腕部２ｂに形成してある遊嵌合用スリット部２ｆに、後者の取付片３のアーム片３ｃの先端に形成してある下向きの遊嵌合舌片３ｂを挿入状態にし、次いで、該石材プレート１の下端を最下部のベース金具２４に対応させ、前者の下部に配した係止片２の腕部２ｂに形成してある遊嵌合用スリット部２ｆに、後者の下部用取付片２３の遊嵌合舌片２３ａを挿入する。該石材プレート１を下降させることで、該遊嵌合舌片２３ａを該係止片２の遊嵌合用スリット部２ｆに挿入する。なお、該石材プレート１の上部に対応するベース金具４に配した取付片３の下向き遊嵌合舌片３ｂは、上向きのそれより３．５倍ほども長く構成してあるため、石材プレート１を以上のように下降させた程度では、云うまでもなく、その上部に配した係止片２の遊嵌合用スリット部２ｆから離脱するようなことはない。
【００５１】
また以上の取り付け操作により、石材プレート１の上下の該当部位に配した弾性接着剤５は、図５(b)及び(c)に示すように、石材プレート１の該当背面に接着し、係止片２、下部用取付片２３及び取付片３に絡み、更に中間の及び最下部のベース金具４、２４それ自体に接着し、更にそれらの絡み片４ｃ、２４ｃに絡む状態となる。
【００５２】
最下部の他の石材プレート１、１…を、同様の工程で取り付けた後、前記下から２番目のベース金具４の更に上のベース金具４に、先に述べ、図３、図４(c)及び図５(b)に示すように、下方のベース金具４に配した取付片３に上下対応させて、取付片３を取り付ける。取り付け方は、当然、下から２番目のベース金具４へのその取り付け方と同様である。
【００５３】
次いで、また石材プレート１の上下端にそれぞれ３個ずつ係止片２、２、２を取り付け、弾性接着剤５を施す。係止片２、２、２は、最下部に取り付けた石材プレート１について説明したのと全く同様に取り付け、弾性接着剤５も、全く同様に施す。
【００５４】
次いで、以上のように準備した石材プレート１を最下部に取り付けた石材プレート１、１…の直上の位置に取り付ける。図５(b)に示すように、先ず該石材プレート１の上部を下から３番目のベース金具４に対応させ、該石材プレート１上部の係止片２の腕部２ｂに開口した遊嵌合用スリット部２ｆに、該ベース金具４に配した取付片３の下向きの遊嵌合舌片３ａを挿入する。これは、石材プレート１を上昇させることによって行う。その後、該石材プレート１の下端を下方（下から２番目の）のベース金具４に対応させ、前者の下部に配した係止片２の腕部２ｂに形成した遊嵌合用スリット部２ｆに、後者の取付片３の遊嵌合舌片３ａを挿入する。該石材プレート１を下降させることで、該遊嵌合舌片３ａを該係止片２の遊嵌合用スリット部２ｆに挿入する。
【００５５】
こうして、石材プレート１は、壁面に固定状態となる。弾性接着剤５も、図５(b)に示すように、石材プレート１、係止片２、取付片３及びベース金具４に、接着乃至絡み結合して、石材プレート１のベース金具４への弾力的な結合を確保するものである。
【００５６】
この段の残りの石材プレート１、１…の取り付けを、同様の作業工程を繰り返すことで完了させ、更に順次上方の段の石材プレート１、１…の取り付けを同様の工程を繰り返すことで完了させる。こうして中間の全ての石材プレート１、１…の取り付けを完了させた上で、最後に、壁面の最上部の石材プレート１、１…の取り付け作業を行う。
【００５７】
最上部では、初めに、それより下方の取付片３の取付位置に上下対応させて、上部用取付片１３を、最上部のベース金具１４に取り付ける。この取り付けは、図５(a)に示すように、上部用取付片１３の取付板１３ｄを、上方から、該ベース金具１４の前面と絡み片１４ｃとの間に装入することによって行う。こうして該ベース金具１４の前面と絡み片１４ｃの背面との間で挟持固定されるようにする訳である。
【００５８】
この後、石材プレート１の上下端の各々３箇所ずつの係止溝１ａ、１ｂに、それぞれ係止片２を取り付け、弾性接着剤５を施す。該係止片２は、壁面の最下部に取り付けた石材プレート１について説明したのと全く同様の取り付け方で取り付け、弾性接着剤５も全く同様に施す。
【００５９】
以上の石材プレート１を、壁面の最上部に取り付ける。図５(a)に示すように、先ず該石材プレート１の上部を最上部のベース金具１４に対応させ、該石材プレート１上部の係止片２の腕部２ｂに開口した遊嵌合用スリット部２ｆに、該ベース金具１４に配した上部用取付片１３の下向きの遊嵌合舌片１３ａを挿入する。これは、該石材プレート１を上昇させることによって行う。その後、該石材プレート１の下端を下方（上から２番目）のベース金具４に対応させ、前者の下部に配した係止片２の腕部２ｂに形成した遊嵌合用スリット部２ｆに、後者の取付片３の上向きの遊嵌合舌片３ａを挿入する。該石材プレート１を下降させることで、該遊嵌合舌片３ａを該係止片２の遊嵌合用スリット部２ｆに挿入する訳である。
【００６０】
最上部の石材プレート１、１…を、それらの全てについて同様の作業を繰り返すことで取り付ければ、壁面への全ての石材プレート１、１…の取り付け作業は完了である。この後は、各石材プレート１、１間の縦目地及び横目地に目地材を充填すれば、全ての作業は完了である。
【００６１】
この実施の形態のプレート部材の取付具によれば、以上のように、簡単な手順で石材プレート１、１…を建築物の壁面に取り付けることができるが、これらの石材プレート１、１…は、例えば、地震等により建築物の躯体が振動乃至揺動しても、或いは、プレート部材が強い風圧を受けたり、建築物外部を移動する人や物から強い衝撃を受けたりしたとしても、係止片２、取付片３（上部取付片１３、下部取付片２３）及び前記弾性接着剤５を介してベース金具４（最上部のベース金具１４、最下部のベース金具２４）に弾力的に結合し、かつ該ベース金具４等は該建築物に胴縁６を介して固定してあるものであり、更に該係止片２と該取付片３等との結合は、遊嵌合舌片３ａ等と遊嵌合用スリット部２ｆとの遊嵌合によるものであって、余裕があり、更にその余裕のある結合が、前記弾性接着剤５により弾力的に保持されているため、該プレート部材の取付具と石材プレート１、１…との結合部である係止溝１ａ、１ｂに応力が集中するような問題が生じることはない。それ故、該石材プレート１、１…の係止溝１ａ、１ｂ付近に損傷を生じさせてしまうような虞はない。また、それ故、この損傷に起因して該石材プレート１、１…が落下してしまうような虞は当然無い。
【００６２】
また、石材プレート１、１…は、以上のように、地震、風圧、その他の外力がこれに掛かった場合に、弾力的に結合を確保することで、その係止溝１ａ、１ｂへの応力の集中を回避して、その部位の損傷の虞をなくすと共に、弾性接着剤５との結合が、剥離等によって解消されても、プレート部材の取付具を構成する係止片２及び取付片３等によって落下が防止されるようになっているものでもある。
【産業上の利用可能性】
【００６３】
本発明のプレート部材の取付具は、建材の製造業の分野及び建築の分野で利用できるものである。
【符号の説明】
【００６４】
１    石材プレート
１ａ  上端の係止溝
１ｂ  下端の係止溝
２    係止片
２ａ  舌片
２ｂ  腕片
２ｃ  平行片
２ｄ  斜辺部
２ｅ  接合片
２ｆ  遊嵌合用スリット部
２ｇ  四辺形切欠
２ｈ  長穴状切欠
３    取付片
３ａ  上向きの遊嵌合舌片
３ｂ  下向きの遊嵌合舌片
３ｃ  アーム片
３ｄ  取付板
３ｅ  結合孔
４    ベース金具（下地）
４ａ  取付孔
４ｂ  補強片
４ｃ  絡み片
４ｄ  切欠
４ｅ  固定円孔
４ｆ  固定長孔
５    弾性接着剤
６    縦胴縁
１３  上部用取付片
１３ｂ  下向きの遊嵌合舌片
１３ｃ  アーム片
１３ｄ  取付板
１４  上部のベース金具
１４ｂ  補強片
１４ｃ  絡み片
１４ｄ  切欠
１４ｅ  固定円孔
１４ｆ  固定長孔
２３  下部用取付片
２３ａ  上向きの遊嵌合舌片
２３ｃ  アーム片
２３ｄ  取付板
２３ｅ  結合孔
２４  下部のベース金具
２４ａ  取付孔
２４ｂ  補強片
２４ｃ  絡み片
２４ｄ  切欠
２４ｅ  固定円孔
２４ｆ  固定長孔
ｂ    ボルト（タッピングボルト）
Ｖ    ビス（タッピングビス）
【図１】
2011038327.tif 000003
【図２】
2011038327.tif 000004
【図３】
2011038327.tif 000005
【図４】
2011038327.tif 000006
【図５】
2011038327.tif 000007
【図６】
2011038327.tif 000008
【図７】
2011038327.tif 000009
【図８】
2011038327.tif 000010
【図９】
2011038327.tif 000011
【図１０】
2011038327.tif 000012
【図１１】
2011038327.tif 000013